(57)【要約】【課題】コーヒー飲料等の飲用容器に遊戯性を付与して、その購買意欲を増進する。【解決手段】容器本体１のフランジに熱溶着した密封シール蓋２の上面に、該上面を８等分した８つの表示区画５を配置するとともにそのうちの３つを金色として「ラッキーゾーン」英文字等の区画内表示５１を印刷する一方、５つを黒色としてスペード、ダイヤ等の図形模様の区画内表示５１を印刷し、ストロー差込口３１を配置し、黒色顔料によって透視不能としたオーバーキャップ３を容器本体１の上端に被覆して、店頭販売用とする。飲用に際して、添付のストロー４をストロー差込口３１から差し込めば、密封シール蓋２のいずれかの区画表示５を貫通するから、ダーツゲームのように遊戯性を持った容器Ａとすることができる。【選択図】図１
0003151935.tif 000002
【実用新案登録請求の範囲】
【請求項１】
容器本体と、該容器本体の上端開口を閉塞密封したストロー差込用の密封シール蓋と、該閉塞密封した容器本体の上部を被覆して面内に部分破断したストロー差込口を配置したオーバーキャップと、容器本体に添付したストローとを備えた飲料容器であって、上記密封シール蓋の上面にその面内を円周方向に区分して飲用者に不等価多数の区画表示を配置する一方、上記オーバーキャップを上記密封シール蓋上面透視不能のブラインドキャップとしてなることを特徴とする飲用容器。
【請求項２】
上記区画表示を、上記円周方向に区分した区画と、該区画内に文字、図形、写真、色彩等の区画内表示を付し又はこれを省略することによって、上記飲用者に不等価としてなることを特徴とする請求項１に記載の飲用容器。
【請求項３】
上記ブラインドキャップのオーバーキャップを、成形樹脂材料に顔料を添加して成形することによって濃色不透明の合成樹脂製としてなることを特徴とする請求項１又は２に記載の飲用容器。
【請求項４】
上記ブラインドキャップのオーバーキャップを、透明オーバーキャップの表面乃至裏面に不透明塗膜を施し又は不透明材料を一体化することによって不透明の合成樹脂製としてなることを特徴とする請求項１又は２に記載の飲用容器。
【考案の詳細な説明】
【技術分野】
【０００１】
本発明は、コーヒー飲料、ジュース等各種飲料を充填し店頭販売する飲料に好適に用い得るようにした飲用容器に関する。
【背景技術】
【０００２】
この種の飲用容器は、例えば、容器本体と、該容器本体の上端開口を閉塞密封したストロー差込用の密封シール蓋と、該閉塞密封した容器本体の上部を被覆して面内に部分破断したストロー差込口を配置したオーバーキャップとを備え、店頭販売用のものとしては該容器本体に添付したストローとを備えたものとされる。このとき、一般に、容器本体は、遮光性を有する合成樹脂カバーによって側面を被覆した合成樹脂の成形材によるものとし、密封シール蓋は、上面からストローを押圧して破断差込を可能としたアルミ、紙、合成樹脂等の積層材にして、上記容器本体の上端フランジに熱溶着によってシールしたものとし、オーバーキャップは、上端フランジにスカート部内面を係合して密封シール蓋の上面をこれに離隔するように上方で被覆した透明薄肉樹脂の成形材によるものとされている。
【先行技術文献】
【特許文献】
【０００３】
【特許文献１】特開２００７−１８６２６４号公報
【考案の概要】
【考案が解決しようとする課題】
【０００４】
この場合、透明薄肉樹脂製のオーバーキャップによって密封シール蓋を透視し得るように、これを保護することによって、塵埃付着の防止等、密封シール蓋の衛生的保持状態を維持して店頭販売することができ、オーバーキャップの部分破断したストロー差込口からストローを差し込むことによって、密封シール蓋を押圧破断し、コーヒー飲料、ジュース等の充填飲料を飲用することができる。
【０００５】
しかし乍ら、オーバーキャップのストロー差込口は、機械加工によって該オーバーキャップの外周からやや内側の面内の定位置に配置され、該密封シール蓋の閉塞密封乃至オーバーキャップによる容器本体の被覆は、飲料の一連の充填工程の最終段階で機械的に被嵌状に配置されるために、上記定位置のストロー差込口と、密封シール蓋上面との相対位置関係は、個別の飲用容器毎にランダムになされるため、該ストロー差込口と密封シール蓋上面のランダムな相対位置関係を利用することによって、オーバーキャップからのストローと密封シール蓋上面におけるストローの押圧破断位置との間に生じる位置関係の偶然性を利用するようにすれば、該偶然性に基く遊戯性を飲用者に与えて、店頭販売における購買意欲を増進することが可能になる。
【０００６】
本考案は、かかる事情に鑑みてなされたもので、その解決課題とするところは、上記オーバーキャップの定位置のストロー差込口と、密封シール蓋上面のランダムな相対位置関係を利用して、偶然性に基く遊戯性を備えた飲用容器を提供するにある。
【課題を解決するための手段】
【０００７】
上記課題に沿って本考案は、上記密封シール蓋の上面を円周方向に等分乃至不等分した区画表示を配置するとともに該区画表示を飲用者に不等価多数のものとする一方、上記オーバーキャップを該区画表示を施した上面を透視不能とするブラインドキャップとすることによって、飲用に際してオーバーキャップに定位置のストロー差込口からのストローと上記不等価多数の区画表示との間で偶然性に基く遊戯性を付与したものであって、即ち、請求項１に記載の考案を、容器本体と、該容器本体の上端開口を閉塞密封したストロー差込用の密封シール蓋と、該閉塞密封した容器本体の上部を被覆して面内に部分破断したストロー差込口を配置したオーバーキャップと、容器本体に添付したストローとを備えた飲料容器であって、上記密封シール蓋の上面にその面内を円周方向に区分して飲用者に不等価多数の区画表示を配置する一方、上記オーバーキャップを上記密封シール蓋上面透視不能のブラインドキャップとしてなることを特徴とする飲用容器としたものである。
【０００８】
請求項２に記載の考案は、上記に加えて、上記区画表示を、円周方向に区分した区画に、適宜な区画内表示を付し又は不表示とすることによって、飲用者に遊戯性に富んだ不等価の区画表示とするように、これを、上記区画表示を、上記円周方向に区分した区画と、該区画内に文字、図形、写真、色彩等の区画内表示を付し又はこれを省略することによって、上記飲用者に不等価としてなることを特徴とする請求項１に記載の飲用容器としたものである。
【０００９】
請求項３に記載の考案は、同じく上記に加えて、上記オーバーキャップのブラインド化を、該オーバーキャップを顔料添加の樹脂成形材によるものとして、該ブラインド化を可及的簡易且つ確実になし得る形態のものとするように、これを、上記ブラインドキャップのオーバーキャップを、成形樹脂材料に顔料を添加して成形することによって濃色不透明の合成樹脂製としてなることを特徴とする請求項１又は２に記載の飲用容器としたものである。
【００１０】
請求項４に記載の考案は、同じく上記に加えて、上記オーバーキャップのブラインド化を、従来の透明のものを用いてなし得る形態のものとするように、これを、上記ブラインドキャップのオーバーキャップを、透明オーバーキャップの表面乃至裏面に不透明塗膜を施し又は不透明材料を一体化することによって不透明の合成樹脂製としてなることを特徴とする請求項１又は２に記載の飲用容器としたものである。
【００１１】
本考案は、これらをそれぞれ考案の要旨として上記課題解決の手段としたものである。
【考案の効果】
【００１２】
本考案は以上のとおりに構成したから、請求項１に記載の考案は、密封シール蓋の上面を円周方向に等分乃至不等分した区画表示を配置するとともに該区画表示を飲用者に不等価多数のものとする一方、上記オーバーキャップを該区画表示を施した上面を透視不能とするブラインドキャップとすることによって、飲用に際してオーバーキャップに定位置のストロー差込口からのストローと上記不等価多数の区画表示との間で偶然性に基く遊戯性を付与して、上記オーバーキャップの定位置のストロー差込口と、密封シール蓋上面のランダムな相対位置関係を利用して、偶然性に基く遊戯性を備えた飲用容器を提供することができる。
【００１３】
請求項２に記載の考案は、上記に加えて、上記区画表示を、円周方向に区分した区画に、適宜な区画内表示を付し又は不表示とすることによって、飲用者に遊戯性に富んだ不等価の区画表示とすることができる。
【００１４】
請求項３に記載の考案は、同じく上記に加えて、上記オーバーキャップのブラインド化を、該オーバーキャップを顔料添加の樹脂成形材によるものとして、該ブラインド化を可及的簡易且つ確実になし得る形態のものとすることができる。
【００１５】
請求項４に記載の考案は、同じく上記に加えて、上記オーバーキャップのブラインド化を、従来の透明のものを用いてなし得る形態のものとすることができる。
【図面の簡単な説明】
【００１６】
【図１】飲用容器の分解斜視図である。
【図２】密封シール蓋の区画表示の例を示す平面図である。
【図３】区画表示の多様化の例を示す平面図である。
【考案を実施するための形態】
【００１７】
以下図面の例に従って本考案を更に具体的に説明すれば、Ａは、飲料、例えばコーヒー飲料を充填した飲用容器であり、該飲用容器Ａは、容器本体１と、該容器本体１の上端開口を閉塞密封したストロー差込用の密封シール蓋２と、該閉塞密封した容器本体１の上部を被覆して面内に部分破断したストロー差込口３１を配置したオーバーキャップ３と、容器本体１に添付したストロー４とを備えたものとしてあり、このとき該飲用容器Ａは、上記密封シール蓋２の上面にその面内を円周方向に区分して飲用者に不等価多数の区画表示５を配置する一方、上記オーバーキャップ３を上記密封シール蓋２上面透視不能のブラインドキャップとしてある。
【００１８】
本例の上記区画表示５は、これを、上記円周方向に区分した区画と、該区画内に文字、図形、写真、色彩等の区画内表示５１を付し又はこれを省略することによって、上記飲用者に不等価としたものとしてあり、このとき該区画表示５は、これを、密封シール蓋２に印刷することによって、その表示を行ってある。
【００１９】
本例にあって密封シール蓋２は、複数の区画表示５、特に多数の区画表示を上面に印刷することによって多種乃至多様の態様を呈するものを備え、例えば、生産ロット毎にその一部乃至全部を使用して容器本体１の閉塞密封を行なってあり、これによって、飲用者が同一態様の区画表示のものを購入する確率を可及的に小さくして、その上記オーバーキャップ３に定位置のストロー差込口３１からのストロー４と上記不等価多数の区画表示５との間で偶然性に基く遊戯性を可及的に確保したものとしてある。
【００２０】
本例の区画表示５は、例えば、円形の密封シール蓋２の上面を等分した等分の区画表示としてあり、該等分の区画表示５は、密封シール蓋２の中心点を通る線乃至仮想線によって、例えば、５等分乃至１０数等分、本例にあっては８等分して、等分多数とし、該等分多数のうちの、例えば、１乃至７の区画表示５を、飲用者に優等とし、他の残余の区画表示５を劣等とするように異なる色彩を印刷表示し且つ優等又は劣等の表示乃至これを示唆する表示を印刷して、飲用者に不等価としてあり、このとき、本例の区画表示５は、上記８等分の任意の１の区画表示を優等とし、残余の７の区画表示を劣等とする組合せパタン、任意の７の区画表示を優等とし、残余の１の区画表示を劣等とする組合せパタンの間で、優等の区画表示を１から増加し、劣等の区画表示を７から減少する各組合せパタンの全部又はこれから選択した一部を印刷表示した、多数の、例えば数十種の密封シール蓋２を形成し、該密封シール蓋２によって上記生産ロット毎の容器本体１の閉塞密閉を行なったものとしてある。本例にあって該優等の区画表示５は、例えば、金色の色彩と「ラッキーゾーン」の英文字による表示及び３重丸の図形の区画内表示５１を、劣等の区画表示５は、黒色の色彩と、それぞれにハート、ダイヤ、クラブ又はスペードの図形模様の区画内表示５１を小さく印刷表示したものとしてある。
【００２１】
このとき本例の密封シール蓋２は、中央に円形区画を配置し、該円形区画を黒色とするとともに該円形区画内に「ラッキーアタック」、「チャレンジストローダーツ」といった英文字の表示を行なって、オーバーキャップを外したときに、飲用容器Ａがストロー４を使用したダーツゲームとして使用し得ることを示唆したものとしてある。
【００２２】
ブラインドキャップのオーバーキャップ３は、薄肉合成樹脂を射出成形することによって、容器本体１のフランジ外周に係合するスカート部と、該スカート部上端を閉塞する、中央を凹陥した上面被覆部を備えた成形材によるとともに該上面被覆部の面内、例えば中央位置より外周側に変位した面内定位置に、ストローの差込位置を示し且つその差込を容易化するようにストロー差込口３１を機械加工によって部分破断するように配置してある。本例にあって該オーバーキャップ３は、これを、成形樹脂材料に顔料を添加して成形することによって濃色不透明の合成樹脂製としてあり、本例のオーバーキャップ３は、その顔料を黒色とすることによって、これを、濃色の黒色として、上記密封シール蓋２上面を透視不能としてあり、このとき本例のオーバーキャップ３は、その上面被覆部に、例えば、遊戯性を示唆する「グッドラック」の英文字表示とストロー差込口３１の文字表示３２を刻印乃至印刷してある。
【００２３】
このように形成した本例の飲用容器Ａは、その飲用に際して、オーバーキャップ３の上記ストロー差込口３１からストロー４を差し込んで、密封シール蓋２を押圧破断すれば、オーバーキャップ３からのストロー４は、密封シール蓋２のいずれかの区画表示５を貫通してオーバーキャップ３と密封シール蓋２の位置関係を固定した状態となるから、例えば飲用に際して又は飲用後にオーバーキャップ３を開ければ、該ストロー４が貫通した区画表示５が、上記優等のものか、劣等のものかが判明するようにして、飲用者に対して飲用に際して、例えば上記ダーツゲームの遊戯性を与えることができる。このとき、本例のオーバーキャップ３のストロー差込口３１は、その外周からやや内側の面内の定位置とされるから、ストロー４の貫通位置は、区画表示の外周側となり、いずれの区画表示５に対するものかが容易に判別することができ、また、本例の密封シール蓋２は、多数の組合せパタンの全部又は一部から選択した多数、例えば、上記数十種のものとし、これを生産ロット毎にその一部乃至全部を使用するものとしたから、大量生産しても、店頭販売において飲用需要者が同一の密封シール蓋２のものを購入する確率を可及的に減少することができ、従って飲用者にとっての偶然性を大きく確保して、上記遊戯性を高度に向上することができる。
【００２４】
図示した例は以上のとおりとしたが、上記ブラインドキャップのオーバーキャップを、透明オーバーキャップの表面乃至裏面に不透明塗膜を施し又は不透明材料を一体化することによって不透明の合成樹脂製とすること、このとき更にオーバーキャップのスカート部も同様とすること、区画内表示を文字とし、図形とし、写真とし、色彩とし又はこれらの組合せとすること、区画内表示を付するとき、例えば、ペットの写真や図形の如くに個人の飲用者にとって不等価のものとすること、区画内表示を部分的に省略することによって飲用者にとって不等価のものとすること、区画の表示を仮想線とし、該区画内に色彩等の区画内表示を付すること等を含めて、本考案の実施に当って、容器本体、密封シール蓋、オーバーキャップ、そのストロー差込口、ストロー、区画表示、必要に応じて用いる区画内表示、上記ブラインドキャップの顔料、透明オーバーキャップの不透明塗膜、不透明材料等の各具体的形状、構造、材質、これらの関係、これらに対する付加等は、上記考案の要旨に反しない限り様々な形態のものとすることができる。
【符号の説明】
【００２５】
Ａ  飲用容器
１  容器本体
２  密封シール蓋
３  オーバーキャップ
３１  ストロー差込口
３２  文字表示
４  ストロー
５  区画表示
５１  区画内表示
【図１】
0003151935.tif 000003
【図２】
0003151935.tif 000004
【図３】
0003151935.tif 000005